(57)【要約】【課題】ダウンウェア等のような袖のある防寒具は、袖を通すという動作をする必要があるが、腕の動きが不自由な人にとっては苦痛を伴う動作であった。ましてや車椅子に乗ってしまった人に着せるのは大変であった。【解決手段】上半身用防寒具１の両横を、下端部分は連結されているが（左横連結部９１）、袖口から脇の部分は大きく開くことが出来る構造とした（左袖口６２，左脇隙間９２）。そして、その開口は、面ファスナーを用いた着脱部（左着脱部４５）により開閉自在とされた。そのため、背後から羽織るように着せかけられた人は、脇に大きく開いた開口より、腕を一寸横に外に出すという動作をするだけで、着せてもらうことが出来る。【選択図】　　　　図２
0003097162.tif 000002
【実用新案登録請求の範囲】
【請求項１】
表地と裏地との間に保温材が詰められ、詰められた保温材が偏在しないよう縫製により適宜の区画に分けられた衣服部材により構成された上半身用防寒具であって、
上半身の背後を覆うための背部（７０）と、
右前部（２０）と、
左前部（４０）と、
該背部（７０）の右側上部と前記右前部（２０）の右側上部との間に延設され、下側を絞らずに筒状にはされていない右袖部（５０）と、
前記背部（７０）の左側上部と前記左前部（４０）の左側上部との間に延設され下側を絞らずに筒状にはされていない左袖部（６０）と、
前記右前部（２０）と背部（７０）との右横下端部分を連結する右横連結部（９０）と、
前記左前部（４０）と背部（７０）との左横下端部分を連結する左横連結部（９１）と、
前記右横連結部（９０）と前記右袖部（５０）の下端との間における右前部（２０）と背部（７０）とを着脱自在に連結するための右着脱部（２５）と、
前記左横連結部（９１）と前記左袖部（６０）の下端との間における左前部（４０）と背部（７０）とを着脱自在に連結するための左着脱部（４５）と、
前記背部，右袖部，右前部，左袖部，左前部の各頂部にわたるよう設けられた衿部（３０）と
を具えたことを特徴とする上半身用防寒具。
【請求項２】
右袖部（５０）の下側を絞って袖口を筒状にするための面ファスナー（５１）を取り付けると共に、左袖部（６０）の下側を絞って袖口を筒状にするための面ファスナー（６１）を取り付けたことを特徴とする請求項１記載の上半身用防寒具。
【考案の詳細な説明】
【０００１】
【考案の属する技術分野】
本考案は、腕の動きが不自由な人にでも、楽に着せることが出来るようにした上半身用防寒具に関するものである。
【０００２】
【従来の技術】
年寄りや病人を車椅子に乗せて移動する場合、冬でなくとも防寒具を必要とする人が多い。その時上半身用防寒具として使用されるのは、通常のオーバーコート，ダウンウェア，毛布等である。
【０００３】
【考案が解決しようとする課題】
しかしながら、前記した従来の上半身用防寒具には、次のような問題点があった。
ダウンウェア等のように袖のある防寒具における問題点は、袖に腕を通すという動作をしなければならないが、人によってはこの動作は大変面倒な動作であるという問題点があった。
腕を袖に通すには腕を曲げたり伸ばしたりしなければならないが、介護される病人等によっては、腕を曲げたり伸ばしたりする度に激痛が走る人もおり（例えばリューマチの人）、大変な苦痛を伴う。一方、介護する側の人にとっても、腕を袖に通させてちゃんと着せる作業は、結構手間のかかる面倒な作業である。
【０００４】
また、毛布等のように単に病人等の背後から掛けてくるむ防寒具には、もともと身体に合わせて作ったものではないから、体表面との間に出来る空間が大きくて防寒機能が劣る上、隙間風が入らないように絶えず保持しておかなければならないという問題点があった。
病状が軽い病人であれば、自分でしっかりと保持しておけるかも知れないが、そうでない病人の場合は、介護する人が保持する必要がある。そうなると、介護人は車椅子の操作をしなければならない上、毛布の保持もしなければならず、その世話はそう楽なものではなかった。
本考案は、以上のような問題点を解決することを課題とするものである。
【０００５】
【課題を解決するための手段】
前記課題を解決するため、本考案では、次のような上半身用防寒具を提供することとした。即ち、表地と裏地との間に保温材が詰められ、詰められた保温材が偏在しないよう縫製により適宜の区画に分けられた衣服部材により構成された上半身用防寒具であって、上半身の背後を覆うための背部と、右前部と、左前部と、該背部の右側上部と前記右前部の右側上部との間に延設され、下側を絞らずに筒状にはされていない右袖部と、前記背部の左側上部と前記左前部の左側上部との間に延設され下側を絞らずに筒状にはされていない左袖部と、前記右前部と背部との右横下端部分を連結する右横連結部と、前記左前部と背部との左横下端部分を連結する左横連結部と、前記右横連結部と前記右袖部の下端との間における右前部と背部とを着脱自在に連結するための右着脱部と、前記左横連結部と前記左袖部の下端との間における左前部と背部とを着脱自在に連結するための左着脱部と、前記背部，右袖部，右前部，左袖部，左前部の各頂部にわたるよう設けられた衿部とを具えることを特徴とする上半身用防寒具とした。
【０００６】
なお、右袖部の下側を絞って袖口を筒状にするための面ファスナーを取り付けると共に、左袖部の下側を絞って袖口を筒状にするための面ファスナーを取り付けるようにしてもよい。
【０００７】
（作　　用）
座っている人の背後から羽織るように着せかけ、着せられる人には、脇に大きく開くようにした開口より、腕を一寸横に外に出させるという動作をしてもらうだけで、着用させることが出来る。そのため、介護を要する年寄りや病人等に対しても、腕を曲げたり伸ばしたりして袖に通すという動作をさせることなく、着せ掛けることが出来る。着せる方も手間がかからず、着せられる方も苦痛を伴う動作をさせられることがない。
【０００８】
【考案の実施の形態】
以下、本考案の実施形態を図面に基づいて詳細に説明する。
図１は、本考案にかかわる上半身用防寒具の正面図である。図１において、１は上半身用防寒具、２０は右前部、２５は右着脱部、３０は衿部、４０は左前部、４１〜４４は面ファスナー、４５は左着脱部、５０は右袖部、５１は面ファスナー、６０は左袖部、６１は面ファスナー、８０は縫い目、９０は右横連結部、９１は左横連結部である。
なお、面ファスナーとは、互いに重ね合わせて押圧すれば係止し、引き剥がすことにより係止が解除し得る着脱自在テープのことである。
【０００９】
図２は、本考案にかかわる上半身用防寒具の左側面図である。符号は図１のものに対応し、４６は面ファスナー、６２は左袖口、７０は背部、７１は面ファスナー、９２は左脇隙間である。そして、図２（１）は、左前部４０の左横端部に取り付けられている左着脱部４５が、面ファスナー４６により背部７０に接着されている状態を示し、図２（２）は左着脱部４５が背部７０より引き剥がされ、離脱されている状態を示している。
【００１０】
上半身用防寒具１は、概略次のものから構成される。即ち、人の上半身の背後を覆う背部７０と、上半身の右前部を覆う右前部２０と、上半身の左前部を覆う左前部４０と、それぞれ袖口の大きい右袖部５０，左袖部６０と、中央上部の衿部３０とからである。
使われる衣服部材は、表地と裏地との間に綿や羽毛等の保温材が詰められており、詰められた保温材は、偏在してしまわないよう縫製により適宜の区画に分けられた部材である。縫い目８０により分けられた区画は、その区画を表している。
【００１１】
左袖部６０の袖口は、その下側にある面ファスナー６１（図１参照）を接着することにより、筒状となるようにされている。そして、図２に示されるように、左袖部６０の下方には左脇隙間９２が設けられていて、面ファスナー６１を離脱させて左袖部６０を筒状でなくすると、袖口の開口は下方の左脇隙間９２の開口とつながるようにされている。
【００１２】
なお、左袖部６０を筒状にするための面ファスナー６１は、必須のものというわけではない。これがなくとも腕は覆われ、防寒の役目は果しているから、筒状にするまでもないということであれば、面ファスナー６１は省略してもよい。
左着脱部４５は、左前部４０の左横端部に取り付けてあるが、図２に示すように、この内面には幾つかの面ファスナー４６が縫い付けてある。そして、左脇隙間９２を挟んだ対岸の背部７０の左横端部の外面には、面ファスナー４６と対応させて着脱するための幾つかの面ファスナー７１が、縫い付けてある。
【００１３】
図２（２）のように、面ファスナー４６，７１を離脱させて左着脱部４５を開けば、左袖口６２と左脇隙間９２とが連続して出来ている開口を大きく開けることが出来る。この開口は、肩から腰のあたりにまで至るほどの大きな開口であるので、腕を上げたり曲げたりするのが不自由な人でも、この開口から一寸外に出す程度のことは、苦痛を伴うことなく行ってもらうことが出来る。
左横連結部９１は、左前部４０と背部７０の左横の下端同士を連結する部分であり、その材料としては、伸縮自在な衣料部材を用いるのが望ましい。
【００１４】
なお、左着脱部４５は、左前部４０に取り付けられ、背部７０とは面ファスナーで着脱自在にされているとしたが、その逆にしてもよい。即ち、背部７０の方に取り付けられ、左前部４０とは面ファスナーで着脱自在にされているとしてもよい。要は、左前部４０と背部７０との間を、着脱自在に連結するようにされていればよい。
以上、上半身用防寒具１の左横の構造について説明したが、右着脱部２５，右横連結部９０等から成る右横の構造も、同様のものとされている。
【００１５】
本考案にかかわる上半身用防寒具は、前記したような構造を有し、右着脱部２５，左着脱部４５での面ファスナーの接着を剥がすことにより、両脇に大きな開口を開けることが出来るようになっているので、介護を要する年寄りや病人等に着せ掛ける場合、次のような手順で簡単に着せ掛けることが出来る。
▲１▼前部中央の面ファスナー４１〜４４の接着を剥がし、ベッドや車椅子に座っている病人等に羽織るように背後から掛ける。そして、面ファスナー４１〜４４を接着する。
▲２▼右袖部５０，左袖部６０を筒状にするための面ファスナー、および右着脱部２５，左着脱部４５での面ファスナーの接着を剥がし、脇に大きな開口を開ける。
▲３▼その開口から腕を外に出させ、右着脱部２５，左着脱部４５の面ファスナーを接着すると共に、右袖部５０，左袖部６０を筒状にするための面ファスナーを接着する。
【００１６】
以上の着せ掛けの手順からも分かるように、着せ掛けられる病人等にとっては、次のような特徴がある。
▲１▼袖に腕を通すという動作（腕を曲げたり伸ばしたりする動作）をする必要がない。
▲２▼殆ど身体を動かす必要はなく、ただじっと座っているだけでよい。
【００１７】
本考案の上半身用防寒具は、着用した状態では衣服の上着の形状となっていて見栄えが良いので、車椅子で外出する場合に毛布をまとってもらったりする場合に比べて外観が気にならない。
なお、本考案の上半身用防寒具は、病人等に限られるわけではなく、通常の元気な人でも使用することが出来ることは勿論である。また、家庭で洗濯することが出来る素材が用いられているので、汚れても簡単に洗濯することが出来る。
【００１８】
【考案の効果】
以上述べた如く、本考案の上半身用防寒具によれば、次のような効果を奏する。
▲１▼着せ掛けるのに、手間がかからない。
座っている人の背後から掛け、各部に取り付けられている面ファスナーを、剥がしたり押圧接着することにより着せればよいので、誰でも簡単に着せることが出来る。
▲２▼着せられる者は、袖に腕を通す動作をしなくともよい。
袖に腕を通すために腕を曲げたり伸ばしたりする動作は、健常者には何でもない動作である。しかし、病人等にとっては（例えば、リューマチの病人）、極めて大きな苦痛を伴う動作である。本考案によれば、この動作をしなくとも着せてもらうことが出来る。
【００１９】
▲３▼着せられる者は、脇の大きな開口から腕を一寸横に出させられるだけ。
着せられる途中にさせられる動作は、脇に開けられた大きな開口から腕を一寸横に出させられることだけであり、苦痛を伴うことではない。
▲４▼毛布等とちがい、通常の衣服の形状であるので見栄えがよく、室内は勿論、外出する場合でも、外観を気にすることなく着用することが出来る。また、体形に合った形状なので、毛布等に比べて隙間風が入らない。
【図面の簡単な説明】
【図１】本考案にかかわる上半身用防寒具の正面図
【図２】本考案にかかわる上半身用防寒具の左側面図
【符号の説明】
１…上半身用防寒具、２０…右前部、２５…右着脱部、３０…衿部、４０…左前部、４１〜４４…面ファスナー、４５…左着脱部、４６…面ファスナー、５０…右袖部、５１…面ファスナー、６０…左袖部、６１…面ファスナー、６２…左袖口、７０…背部、７１…面ファスナー、８０…縫い目、９０…右横連結部、９１…左横連結部、９２…左脇隙間
【図１】
0003097162.tif 000003
【図２】
0003097162.tif 000004